(57)【特許請求の範囲】
【請求項１】
原子炉格納容器の下部に一端を取り付けたベント管の他端部を、サプレッションチャンバに貫通させて取り付けたベントノズルを通して該サプレッションチャンバ内に挿入し、該サプレッションチャンバの外側に位置するベントノズルの一端に、内部にベローズを組み込んで自在に伸縮できるようにしたシール体を設けて、ベント管とベントノズルとの隙間をシールさせるようにしてある構成における上記サプレッションチャンバの内側に位置するベントノズルの他端の内周面と上記ベント管の外周面との隙間に押し込まれるように、リング状のガスケットを配置し、且つ該サプレッションチャンバの内側に位置するベントノズルの他端部に固定枠を支持ボルトで固定して、該固定枠に装備されている押し込みボルトを、上記ガスケットのベントノズル側とは反対側の面に当てがうように配置した押え板に当接させ、該押し込みボルトを締め込むことにより押え板を介して該ガスケットをベント管の外周面とベントノズルの内周面との隙間に押し込んでシールさせるようにしてなることを特徴とする原子炉格納容器のベント管ベローズ用局部漏洩試験装置。
【請求項２】
原子炉格納容器の下部に一端を取り付けたベント管の他端部を、サプレッションチャンバに貫通させて取り付けたベントノズルを通して該サプレッションチャンバ内に挿入し、該サプレッションチャンバの外側に位置するベントノズルの一端に、内部にベローズを組み込んで自在に伸縮できるようにしたシール体を設けて、ベント管とベントノズルとの隙間をシールさせるようにしてある構成における上記サプレッションチャンバの内側に位置するベントノズルの他端の内周面と上記ベント管の外周面との隙間に押し込まれるように、リング状のガスケットを配置し、且つ該サプレッションチャンバの内側に位置するベントノズルの他端近傍位置におけるベント管の外周面に、押し込みボルトを装備している固定枠を着脱できるように取り付け、該固定枠に装備されている押し込みボルトを、上記ガスケットのベントノズル側とは反対側の面に当てがうように配置した押え板に当接させ、該押し込みボルトを締め込むことにより押え板を介して該ガスケットをベント管の外周面とベントノズルの内周面との隙間に押し込んでシールさせるようにしてなることを特徴とする原子炉格納容器のベント管ベローズ用局部漏洩試験装置。
【請求項３】
ベントノズルの他端の内周面とベント管の外周面との隙間に押し込まれるガスケットと、該ガスケットのベントノズル側とは反対側の面に当てがうように配置した押え板と、該押え板に当接させる押し込みノズルを装備している固定枠とを周方向に複数分割された構造とした請求項１又は２記載の原子炉格納容器のベント管ベローズ用局部漏洩試験装置。
【請求項４】
原子炉格納容器の下部に一端を取り付けたベント管の他端部を、サプレッションチャンバに貫通させて取り付けたベントノズルを通して該サプレッションチャンバ内に挿入し、該サプレッションチャンバの外側に位置するベントノズルの一端に、内部にベローズを組み込んで自在に伸縮できるようにしたシール体を設けて、ベント管とベントノズルとの隙間をシールさせるようにしてある構成における上記サプレッションチャンバの内側に位置するベントノズルの他端の内周面と上記ベント管の外周面との隙間に押し込まれるように、リング状のガスケットを配置し、且つ該サプレッションチャンバの内側に位置するベントノズルの他端部に固定枠を支持ボルトで固定して、該固定枠に装備されている押し込みボルトを、上記ガスケットのベントノズル側とは反対側の面に当てがうように配置した押え板に当接させ、該押し込みボルトを締め込むことにより押え板を介して該ガスケットをベント管の外周面とベントノズルの内周面との隙間に押し込んでシールさせるようにし、更に、上記ガスケットと上記押え板と上記固定枠とを周方向に複数分割された構造とすると共に、上記ガスケットの各分割接合面が斜め方向又は互い違いの段差となるようにして、該各分割接合面に、押し込みボルトによる力と反力媒体による圧力が両側から作用するようにしてなることを特徴とする原子炉格納容器のベント管ベローズ用局部漏洩試験装置。
【請求項５】
原子炉格納容器の下部に一端を取り付けたベント管の他端部を、サプレッションチャンバに貫通させて取り付けたベントノズルを通して該サプレッションチャンバ内に挿入し、該サプレッションチャンバの外側に位置するベントノズルの一端に、内部にベローズを組み込んで自在に伸縮できるようにしたシール体を設けて、ベント管とベントノズルとの隙間をシールさせるようにしてある構成における上記サプレッションチャンバの内側に位置するベントノズルの他端の内周面と上記ベント管の外周面との隙間に押し込まれるように、リング状のガスケットを配置し、且つ該サプレッションチャンバの内側に位置するベントノズルの他端近傍位置におけるベント管の外周面に、押し込みボルトを装備している固定枠を着脱できるように取り付け、該固定枠に装備されている押し込みボルトを、上記ガスケットのベントノズル側とは反対側の面に当てがうように配置した押え板に当接させ、該押し込みボルトを締め込むことにより押え板を介して該ガスケットをベント管の外周面とベントノズルの内周面との隙間に押し込んでシールさせるようにし、更に、上記ガスケットと上記押え板と上記固定枠とを周方向に複数分割された構造とすると共に、上記ガスケットの各分割接合面が斜め方向又は互い違いの段差となるようにして、該各分割接合面に、押し込みボルトによる力と反力媒体による圧力が両側から作用するようにしてなることを特徴とする原子炉格納容器のベント管ベローズ用局部漏洩試験装置。
【発明の詳細な説明】
【０００１】
【発明の属する技術分野】
本発明は原子炉圧力容器を格納する原子炉格納容器におけるベント管のベローズ用局部漏洩試験装置に関するものである。
【０００２】
【従来の技術】
図６及び図７は、原子力プラントの一例として通称ＭＡＲＫ−Ｉ型と呼ばれるものを示すもので、基礎１上に据え付けたＲＰＶペデスタル２により原子炉圧力容器（ＲＰＶ）３を支持させ、該ＲＰＶペデスタル２と原子炉圧力容器３とを一緒に取り囲むように原子炉格納容器（ＰＣＶ）４を構築して、その周囲を建屋で覆って密閉するようにし、且つ上記原子炉格納容器４の下部周辺の建屋内に、環状のサプレッションチャンバ５を設置すると共に、上記原子炉格納容器４の下部の周方向複数個所に取り付けた複数本のベント管６を、各ベント管６に対応させるようにして上記サプレッションチャンバ５に貫通させて取り付けたベントノズル７を通して該サプレッションチャンバ５内へ挿入して、上記原子炉格納容器４とサプレッションチャンバ５とを接続した構成としてある。
【０００３】
上記ベント管６とベントノズル７との関係は、図８及び図９に示す如く、サプレッションチャンバ５の上部位置に、ベントノズル７を、下端はサプレッションチャンバ５の内部に位置させるようにすると共に上端はサプレッションチャンバ５の上方へ突出させるように貫通させ、且つ原子炉格納容器４に上端を固定して内部に連通させたベント管６の下端側を、上記ベントノズル７を通してサプレッションチャンバ５内へ挿入し、更に、補強用リング９にて補強された２つのベローズ１０をカバー１１の内部にそれぞれ組み込んで自在に伸縮できるようにしてなるシール体８の基端（下端）を上記ベントノズル７の上端に溶接にて固定し、該シール体８の自由端（上端）は上記ベント管６の途中位置に溶接にて固定してベント管６の内周面とベントノズル７の外周面との隙間１２をシールすることにより、原子炉格納容器４とベント管６とベントノズル７とサプレッションチャンバ５との内部を気密に区画形成させると共に、原子炉格納容器４の膨張及び収縮によるベント管６とサプレッションチャンバ５との間の相対変位をベローズ１０によって吸収させるようにしてなる。
【０００４】
なお、上記した如き原子炉格納容器においては、Ａ種、Ｂ種、Ｃ種の３種類の漏洩試験が実施されており、原子炉格納容器の漏洩試験規程（ＪＥＡＣ４２０３−１９９４）によると、このうちのＢ種試験は、「原子炉格納容器バウンダリを構成するシール部又は貫通部を個々に又はグループごとに加圧して行う局部漏洩試験」と定義されており、Ｂ種試験の対象箇所としては、エアロック、機器搬入口、配管貫通部（伸縮式配管貫通部、貫通配管閉止フランジ部）、電気配線用貫通部、原子炉格納容器主フランジ部が考えられており、これらの箇所では、例えば、扉間やフランジ部の２重シールガスケット間を加圧できるようにするためにテストタップ等を設けるなどして、予めＢ種試験が実施可能な構造としてある。
【０００５】
また、上述したＢ種試験の対象箇所の他に、伸縮式配管貫通部の類似箇所としてベント管６のベローズ１０が考えられるものの、ベント管６のベローズ１０は、単にサプレッションチャンバ５とベント管６との相対変位を吸収しているのみであって他からの機械的な荷重を受けることがなく、ベローズ１０本体の疲労評価及び溶接部の検査が実施されており、更に、ベローズ１０部からリークした実績がないという理由から、Ｂ種試験の対象としては促えられていない。
【０００６】
【発明が解決しようとする課題】
ところが、上記した如き原子炉格納容器において、Ａ種試験をＢ種及びＣ種試験で代替しようとする場合には、ベント管６のベローズ１０を対象とする局部漏洩試験の必要性が考えられるものの、ベントノズル７がサプレッションチャンバ５内へ開口している構造となっていることから、実際にはベント管６のベローズ１０のみを対象とする局部漏洩試験を実施することはできない、という問題がある。
【０００７】
そこで、本発明は、原子炉格納容器のベント管ベローズを対象とする局部漏洩試験を実施できるようにしようとするものである。
【０００８】
【課題を解決するための手段】
本発明は、上記課題を解決するために、原子炉格納容器の下部に一端を取り付けたベント管の他端部を、サプレッションチャンバに貫通させて取り付けたベントノズルを通して該サプレッションチャンバ内に挿入し、該サプレッションチャンバの外側に位置するベントノズルの一端に、内部にベローズを組み込んで自在に伸縮できるようにしたシール体を設けて、ベント管とベントノズルとの隙間をシールさせるようにしてある構成における上記サプレッションチャンバの内側に位置するベントノズルの他端の内周面と上記ベント管の外周面との隙間に押し込まれるように、リング状のガスケットを配置し、且つ該サプレッションチャンバの内側に位置するベントノズルの他端部に固定枠を支持ボルトで固定して、該固定枠に装備されている押し込みボルトを、上記ガスケットのベントノズル側とは反対側の面に当てがうように配置した押え板に当接させ、該押し込みボルトを締め込むことにより押え板を介して該ガスケットをベント管の外周面とベントノズルの内周面との隙間に押し込んでシールさせるようにする。
【０００９】
これにより、ベントの外周面とベントノズルの内周面との隙間が密閉空間として区画形成されることから、該隙間内に圧力媒体を注入して加圧させることによってベント管のベローズの局部漏洩試験を実施することができる。
【００１０】
又、固定枠を、ベントノズルの他端部に固定するようにしたことに代え、ベントノズルの他端近傍位置におけるベント管の外周面に、押し込みボルトを装備している固定枠を着脱できるように取り付けるようにすることもできる。
【００１１】
更に、ベントノズルの他端の内周面とベント管の外周面との隙間に押し込まれるガスケットと、該ガスケットのベントノズル側とは反対側の面に当てがうように配置した押え板と、該押え板に当接させる押し込みノズルを装備している固定枠とを周方向に複数分割された構造とすると、装置の着脱を容易に行うことができる。
【００１２】
上記において、周方向に複数分割された構造としてあるガスケットの各分割接合面が斜め方向となるようにしたり、あるいは、互い違いの段差となるようにして、該分割接合面に、押し込みボルトによる力と反力媒体による圧力が両側から作用するようにすると、ガスケットの分割接合面には上記押し込みボルトによる力と圧力媒体による圧力とが両側から作用されることになって分割接合面を一体化させることができる。
【００１３】
【発明の実施の形態】
以下、本発明の実施の形態を図面を参照して説明する。
【００１４】
図１乃至図３は本発明の実施の形態を示すもので、図６乃至図９に示したものと同様に、原子炉圧力容器を格納するための原子炉格納容器４の下部周辺に環状のサプレッションチャンバ５を設置すると共に、該原子炉格納容器４の下部の周方向複数個所に複数本のベント管６を取り付け、該各ベント管６を、上記サプレッションチャンバ５の上部を貫通させて取り付けてあるベントノズル７を通して該サプレッションチャンバ５内へ挿入し、ベントノズル７上端に、該ベントノズル７外周面とベント管６内周面との隙間１２をシールするためにベローズ１０を組み込んで自在に伸縮できるようにしてあるシール体８を設けてある構成において、上記ベントノズル７下端のサプレッションチャンバ５内に位置する個所に、ベントノズル７側端部の外径は該ベントノズル７の内径よりも幾分小さいものの他端側へ向かって厚みが徐々に増加してベントノズル７と反対側端部の外径は該ベントノズル７の内径よりも大きくなるような断面形状を有し、且つ斜め方向の分割接合面１３ａで周方向に複数（図では２つ）に分割してなるリング状のガスケット１３を配置すると共に、該ガスケット１３のベントノズルと反対側の面に、周方向に複数分割された環状の押え板１４を当てがうようにする。且つ、上記ベントノズル７の外周面に平行な面１５ａと垂直な面１５ｂとからなるＬ字形断面を有してベントノズル７の外周面に平行な面１５ａと垂直な面１５ｂとの間に適宜補強材１５ｃを設けると共に周方向に複数分割された構造としてなる固定枠１５を、上記ガスケット１３及び押え板１４を内側に収容するようにして上記ベントノズル７の下端部に外嵌し、該固定枠１５をなす周方向に複数分割された各部材における上記ベントノズル７の外周面に平行な面１５ａに複数の貫通孔１６を設けると共に、ベントノズル７外周面の上記各貫通孔１６に対応させた位置にねじ穴１７をそれぞれ設け、各貫通孔１６に支持ボルト１８を通して各ねじ穴１７に螺着することにより、分割構造の固定枠１５を一体としてベントノズル７に強固に固定させるようにし、又、上記固定枠１５のベントノズル７に垂直な面１５ｂの周方向所要間隔位置に、内ねじが該設してあるボルト孔１９をそれぞれ設けて、該各ボルト孔１９に装着した各押し込みボルト２０を締め込むことにより、上記押え板１４を介して上記ガスケット１３をベント管６の外周面とベントノズル７内周面との隙間１２内へ押し込んでシールを施すことができるようにする。更に、上記ベントノズル７のサプレッションチャンバ５の外側に位置する箇所に、途中に開閉弁２２を備えた漏洩試験用配管２１を接続して、該漏洩試験用配管２１を通してベント管６の外周面とベントノズル７の内周面との隙間１２内へ漏洩試験のための圧縮空気の如き圧力媒体Ａを注入させるようにする。
【００１５】
ベントノズル７の下端に固定した上記固定枠１５に備えられている押し込みボルト２０を締め込むことにより、ベントノズル７下端に設けた上記ガスケット１３を該ベントノズル７内周面とベント管６内周面との隙間１２内へ押し込んでシールを施すようにすると、該隙間１２を密閉空間として区画形成させることができるので、上記漏洩試験用配管２１を通して隙間１２内へ圧力媒体Ａを注入して隙間１２内を加圧させることにより、ベントノズル７上端に設けたシール体８に組み込まれているベローズ１０に対する局部漏洩試験を実施させることができる。
【００１６】
上記において、ガスケット１３と押え板１４と固定枠１５をいずれも周方向に複数分割した構造とすることによって装置の着脱を容易に行うことができ、しかも、ガスケット１３は斜め方向の分割接合面１３ａで分割させるようにしてあることから、図３に示すように、各分割接合面１３ａには押し込みボルト２０による力Ｆと圧力媒体Ａによる圧力Ｐが両側から作用されることになって各分割接合面１３ａを一体化させることができるので、空間１２内へ注入された圧力媒体Ａが分割接合面１３ａから漏れ出してしまうようなことも防ぐことができる。
【００１７】
次に、図４は本発明の他の実施の形態を示すもので、図１乃至図３に示した周方向に複数分割された固定枠１５をベントノズル７の下端に固定するようにした方式に代え、ベント管６外周面におけるベントノズル７下端の近傍位置に、ベント管６に外嵌するようにした環体２４と該環体２４の外周面に直角に取り付けられた直立プレート２５との間に適宜補強材２６を設けると共に周方向に複数分割された構造としてなる固定枠２３を、環体２４に設けた貫通孔２７にベント管６の外周面より直立されたボルト２８を通してナット２９にて締め付けることによって固定するようにしたものである。図中、図１乃至図３に示すものと同一なものには同一な符号が付してある。
【００１８】
図４に示す実施の形態の場合、固定枠２３をなす直立プレート２５に設けたボルト孔３０に装着されている押し込みボルト２０を締め込むことにより、押え板１４を介してガスケット１３をベント管６の外周面とベントノズル７の内周面との隙間１２内へ押し込んでシールを施すことができることから、図１乃至図３に示すものと同様にしてベローズ１０の局部漏洩試験を行うことができる。
【００１９】
次いで、図５は本発明の別の実施の形態として、上記ガスケット１３の変形例を示すもので、斜め方向の分割接合面１３ａで周方向に複数に分割することに代え、互い違いの段差を組み合せるような分割接合面１３ｂとしたものであり、この実施の形態においても、押し込みボルト２０による力Ｆと圧力媒体Ａによる圧力Ｐが両側から作用されて分割接合面１３ｂを一体化させることができる。
【００２０】
なお、本発明は上記実施の形態のみに限定されるものではなく、たとえば、上記実施の形態ではガスケット１３、押え板１４及び固定枠１５，２３を２分割としているが、これらは３分割や４分割としてもよく、その他、本発明の要旨を逸脱しない範囲内において種々変更を加え得ることは勿論である。
【００２１】
【発明の効果】
以上述べた如く、本発明の原子炉格納容器のベント管ベローズ用局部漏洩試験装置によれば、サプレッションチャンバに貫通させて取り付けたベントノズルを通してベント管をサプレッションチャンバ内へ挿入すると共に、サプレッションチャンバの外側に位置するベント管の一端部に、ベローズを組み込んで自在に伸縮できるようにしたシール体を設けて、ベント管とベントノズルとの隙間をシールさせるようにしてある構成において、上記サプレッションチャンバの内側に位置するベント管の他端の内周面と上記ベント管の外周面との隙間に押し込まれるように、リング状のガスケットを配置し、且つ、該サプレッションチャンバの内側に位置するベントノズルの他端部に固定枠を支持ボルトで固定したり、または、ベントノズルの他端近傍位置におけるベント管外周面に、押し込みボルトを装備している固定枠を着脱できるように取り付け、該固定枠に装着された押し込みボルトを、上記ガスケットのベントノズル側とは反対側の面に当てがうように配置した押え板に当接させ、該押し込みボルトを締め込むことにより、押え板を介して上記ガスケットをベント管の外周面とベントノズルの内周面との隙間内へ押し込んでシールさせるようにしてあることから、ベント管の外周面とベントノズルの内周面との隙間を密閉空間として区画形成させることができて、該隙間内へ圧力媒体を注入して加圧させることによってベント管のベローズの局部漏洩試験を実施することができ、これにより、原子炉格納容器の漏洩試験を実施する場合に、ベント管ベローズを対象とするＢ種試験によりサプレッションチャンバを含めた全体的なＡ種試験を代替させるようなことも可能となってプラントの工期短縮を図ることができ、且つベント管ベローズの信頼性も向上させることができる。
【００２２】
上記において、ベントノズルの他端の内周面とベント管の外周面との隙間に押し込まれるガスケットと、該ガスケットのベントノズル側とは反対側の面に当てがうように配置した押え板と、該押え板に当接させる押し込みノズルを装備している固定枠とを周方向に複数分割された構造とすると、装置の着脱を容易に行うことができる。
【００２３】
更に、周方向に複数分割した構造としてあるガスケットの各分割接合面が斜め方向となるようにしたり、あるいは、互い違いの段差となるようにして、該分割接合面に、押し込みボルトによる力と反力媒体による圧力が両側から作用するようにすると、ガスケットの分割接合面には上記押し込みボルトによる力と圧力媒体による圧力とが両側から作用されることになって分割接合面を一体化させることができる、という優れた効果を発揮する。
【図面の簡単な説明】
【図１】本発明の原子炉格納容器のベント管ベローズ用局部漏洩試験装置の実施の一形態を示す概要図である。
【図２】図１のII部を拡大して示す断面図である。
【図３】本発明の要部を示す組立図である。
【図４】本発明の他の実施の形態を示す断面図である。
【図５】本発明の別の実施の形態を示す概要図である。
【図６】原子力プラントの一例としてＭＡＲＫ−Ｉ型のものを示す概略図である。
【図７】図６のVII −VII 方向を示す一部切断矢視図である。
【図８】ベント管とベントノズルとの関係を示す概略図である。
【図９】図８のIX部拡大図である。
【符号の説明】
４  原子炉格納容器
５  サプレッションチャンバ
６  ベント管
７  ベントノズル
８  シール体
１０  ベローズ
１２  隙間
１３  ガスケット
１３ａ，１３ｂ  分割接合面
１４  押え板
１５  固定枠
２０  押し込みボルト
２３  固定枠
【図１】
0003687205.tif 000002
【図２】
0003687205.tif 000003
【図３】
0003687205.tif 000004
【図４】
0003687205.tif 000005
【図５】
0003687205.tif 000006
【図６】
0003687205.tif 000007
【図７】
0003687205.tif 000008
【図８】
0003687205.tif 000009
【図９】
0003687205.tif 000010